(57)【要約】【課題】室外からの不正操作に対する耐性が高く、かつ室内からの操作性も低下しないサムターン装置の提供を目的とする。【解決手段】シャフト本体１の先端に形成されて室内側に露出する操作先端への回転操作により錠装置を施解錠操作するサムターンシャフト２と、  サムターンシャフト２に空転自在に外嵌合されて操作先端を覆うとともに、周壁には操作先端を露出させて該回転先端への回転操作力付与を許容するための露出窓３が開設された空転カバー４と、  サムターンシャフト２と空転カバー４との間に介装され、サムターンシャフト２が所定角度回転した際に該サムターンシャフト２と空転カバー４とを回転方向に連結するクラッチ手段５と、を有して構成する。【選択図】図２
2007100313.tif 000002
【特許請求の範囲】
【請求項１】
シャフト本体の先端に形成されて室内側に露出する操作先端への回転操作により錠装置を施解錠操作するサムターンシャフトと、
サムターンシャフトに空転自在に外嵌合されて操作先端を覆うとともに、周壁には操作先端を露出させて該回転先端への回転操作力付与を許容するための露出窓が開設された空転カバーと、
サムターンシャフトと空転カバーとの間に介装され、サムターンシャフトが所定角度回転した際に該サムターンシャフトと空転カバーとを回転方向に連結するクラッチ手段と、
を有するサムターン装置。
【請求項２】
前記サムターンシャフトの操作先端はシャフト本体に操作先端部材を空転自在に外嵌合して形成されるとともに、
前記クラッチ手段は、
シャフト本体、操作先端部材、および空転カバーの重合領域において操作先端部材に移動自在に保持され、操作先端部材とシャフト本体とが所定の初期相対回転位置関係にあるときに操作先端部材と空転カバーとの回転境界を開放可能にシャフト本体と操作先端部材との回転境界を閉塞するとともに、操作先端部材が前記初期相対回転位置から偏位回転駆動された際に空転カバー側に押し出されてシャフト本体と操作先端部材との回転境界の閉塞状態を維持したまま操作先端部材と空転カバーとの回転境界を閉塞するキー部材を有する請求項１記載のサムターン装置。
【請求項３】
前記空転カバーとサムターンシャフトとの間には、空転カバーに付勢力を付与し、サムターンシャフトに対する空転カバーの相対回転位置を一定に保持する付勢手段が介装される請求項１または２記載のサムターン装置。
【請求項４】
前記サムターンシャフトの露出窓からの露出部には平面部が形成される請求項１、２または３記載のサムターン装置。
【発明の詳細な説明】
【技術分野】
【０００１】
本発明は、サムターン装置に関するものである。
【背景技術】
【０００２】
室外からの不正操作を防止可能なサムターン装置としては特許文献１に記載されたものが知られている。この従来例において、サムターン装置は、室内側に露出する摘みと、錠装置に連結されるサムターン軸と、摘みとサムターン軸との間に所定の空転角を設定するクラッチとを有する。
【０００３】
摘みを操作して錠装置を施解錠操作するためには、摘みへの空転角を超える操作角の入力が必要であり、室外からの不正操作が困難になる。
【特許文献１】特開２００５-３０１３０号公報
【発明の開示】
【発明が解決しようとする課題】
【０００４】
しかし、上述した従来例において、室外からの不正操作に対する耐性を高めるためには摘みの空転角度を大きくする必要があるが、十分な空転角度を設定すると、室内側からの操作性が悪くなるという欠点がある。
【０００５】
本発明は、以上の欠点を解消すべくなされたものであって、室外からの不正操作に対する耐性が高く、かつ室内からの操作性も低下しないサムターン装置の提供を目的とする。
【課題を解決するための手段】
【０００６】
本発明によれば上記目的は、
シャフト本体１の先端に形成されて室内側に露出する操作先端への回転操作により錠装置を施解錠操作するサムターンシャフト２と、
サムターンシャフト２に空転自在に外嵌合されて操作先端を覆うとともに、周壁には操作先端を露出させて該回転先端への回転操作力付与を許容するための露出窓３が開設された空転カバー４と、
サムターンシャフト２と空転カバー４との間に介装され、サムターンシャフト２が所定角度回転した際に該サムターンシャフト２と空転カバー４とを回転方向に連結するクラッチ手段５と、
を有するサムターン装置を提供することにより達成される。
【０００７】
施解錠は錠装置に連結されるサムターンシャフト２を回転させることにより行われ、サムターンシャフト２に回転操作力を付与するために、サムターンシャフト２には操作先端が設けられる。操作先端を有するサムターンシャフト２は、全体として一体に形成することが可能であるが、操作先端に加えた回転操作力がサムターンシャフト２のシャフト本体１に確実に伝達されることを条件に、操作先端とシャフト本体１との間に回転方向の遊びがあってもよい。
【０００８】
上記サムターンシャフト２の操作先端に外嵌合されてサムターンシャフト２を空転自在に覆う空転カバー４には露出窓３が開設され、操作先端はこの露出窓３からのみ外部に露出する。この結果、サムターンシャフト２に回転操作力を付与するためには、操作先端の露出窓３からの露出部を操作することが必要となる。
【０００９】
室外から不正な方法でサムターンシャフト２を回転させる場合、最外殻部材（本発明における空転カバー４、従来例における摘み）の任意位置に回転操作力を加えて内部部材（サムターンシャフト２）を一緒に回転させることは、比較的容易と考えられる。これに対し、本発明は、最外殻部材の一部に開設された露出窓３から覗く内部部材に回転操作力を加えることを要求するために、上述した場合に比して、回転操作は格段に困難性を伴い、室外からの不正操作に対する高い耐性が得られる。
【００１０】
また、クラッチ手段５は、サムターンシャフト２が適宜角度回転した際にサムターンシャフト２と空転カバー４とを回転方向に連結する。この結果、室内側からサムターン装置を操作する場合、所定の回転位置までサムターンシャフト２を回転させると、それ以降、空転カバー４を使用した回転操作が可能になり、高い操作性が得られる。
【００１１】
とりわけ、錠装置に対する施解錠操作は両ストローク終端近傍において高い反力が発生するように構成される場合が多い。回転ストローク終端部では確実に空転カバー４がサムターンシャフト２に連結される本発明においては、上記高反力領域における操作は力を入れやすい空転カバー４を握り、あるいは摘んで行うことができるために、より操作性が向上する。
【発明の効果】
【００１２】
本発明によれば、室内からの操作性の低下をもたらすことなく室外からの不正操作に対する耐性を高くすることができる。
【発明を実施するための最良の形態】
【００１３】
図１、２、３に示すように、サムターン装置はサムターンケース１０にサムターンシャフト２を回転自在に保持して形成される。サムターンケース１０は、ケース本体１０ａの一端にアタッチメント１０ｂを連結して形成され、ドア１１の室内側壁面に開設された装着孔（図示せず）から挿入されてドア１１に固定される。図１、２において１０ｄはケース本体１０ａとアタッチメント１０ｂとを連結する締結ボルトを示す。
【００１４】
ドア１１への固定状態においてアタッチメント１０ｂの後端（以下、本明細書において室内側を「前方」、反対側を「後方」取付状態を基準に「上下」方向を定義する。）に形成される連結部１０ｃがドア１１内の錠装置に固定され、同時にサムターンシャフト２の回り止め部２ａが錠装置のデッドボルト操作部に嵌合する。この状態でサムターンシャフト２を回転させると錠装置のデッドボルトが錠装置から進退し、施解錠状態間を遷移する。
【００１５】
サムターンケース１０にはサムターンローズ１２が前後方向に移動自在に外嵌合される。このサムターンローズ１２は、サムターンケース１０との間に介装される圧縮スプリング１２ａにより後方に付勢され、ドア１１への固定時におけるドア１１表面との隙間発生が防止される。
【００１６】
サムターンシャフト２は、上記回り止め部２ａを備えるシャフト本体１と、シャフト本体１の前端部に空転自在に外嵌合される操作先端部材６とを有する。操作先端部材６とシャフト本体１との回転境界には、節度停止手段１３が形成される。図３（ｂ）に示すように、節度停止手段１３は、シャフト本体１に穿孔されたボール挿入孔１３ａ内に挿入されるボール１３ｂと、ボール１３ｂをシャフト本体１の外周側に付勢する圧縮スプリング１３ｃとを有する。
【００１７】
この節度停止手段１３は、ボール１３ｂが操作先端部材６の内周壁面に形成される嵌合凹部１３ｄに嵌合して操作先端部材６とシャフト本体１との相対回転角度を概ね規制し、かつ、図５（ａ）に示すように、シャフト本体１と操作先端部材６間の相対回転姿勢の変化も許容する。
【００１８】
上記操作先端部材６はケース本体１０ａから前方に突出し、その前端部に空転カバー４が空転自在に外嵌合される。空転カバー４は、離れた位置からでも回転姿勢が容易に識別することができるように、正面視一文字形状に形成され、さらに、図１（ｃ）に示すように、一文字形状の中心部には、上記操作先端部材６が挿通する膨隆部４ａが形成される。
【００１９】
膨隆部４ａの対向側壁部には露出窓３が開設され、上記操作先端部材６が露出する。図３（ａ）に示すように、操作先端部材６の露出窓３からの露出部には平行な一対の平面部９が形成される。平面部９、９間の間隔は露出窓３の周縁部間の間隔にほぼ一致しており、操作先端部材６、空転カバー４を意識的に区別することなく当該部位を摘んで回転させるだけで操作先端部材６側を回転させることができるように配慮される。
【００２０】
また、上記操作先端部材６は空転カバー４の膨隆部４ａを貫通して空転カバー４の前端から露出する。消灯時等においても空転カバー４の回転姿勢を知覚し、施解錠状態が判別可能なように、空転カバー４の前端面には蓄光性を有する材料により形成されるマーク部材１４が固定される。図２（ａ）に示すように、マーク部材１４は、中心部の操作先端部材６の空転を保障し、かつ可及的に表示面積を増加させて見やすくするために、操作先端部材６の前端面を跨架し、両端部裏面に突設される取付ボス１４ａを操作先端部材６側の圧入孔４ｂに圧入して装着される。
【００２１】
さらに、上記空転カバー４とサムターンシャフト２には付勢手段８が配置される。図２に示すように、付勢手段８は、サムターンシャフト２に固定されるシャフト側マグネット８ａと、空転カバー４に固定されるカバー側マグネット８ｂとからなる。シャフト側マグネット８ａはサムターンシャフト２のシャフト本体１を貫通して操作先端部材６の表面に露出する。図３（ｃ）に示すように、シャフト側マグネット８ａの存在によりシャフト本体１と操作先端部材６との空転が阻害されないように、操作先端部材６のマグネット挿通孔６ｂは、回転方向に長い長孔として形成される。
【００２２】
一方、カバー側マグネット８ｂはシャフト側マグネット８ａの両磁極に反対極が対峙するように、２本が固定される。この結果、空転カバー４にはサムターンシャフト２、正確にはシャフト本体１に対する相対回転角を一定に保つ方向の付勢力が与えられる。
【００２３】
以上のように構成される空転カバー４とサムターンシャフト２との間にはクラッチ手段５が介装される。クラッチ手段５を構成するために、空転カバー４と操作先端部材６にはサムターンケース１０内で径方向に重合する筒部４ｐ、６ｐが形成される。操作先端部材６の筒部６ｐはシャフト本体１に外嵌合し、空転カバー４の筒部４ｐは操作先端部材６の筒部に外嵌合される。
【００２４】
図２、３に示すように、クラッチ手段５は、操作先端部材６に保持される円筒コロ状のキー部材７を有する。キー部材７を保持するために、操作先端部材６の筒部６ｐには、キー部材７をシャフト本体１の長手方向に向けた姿勢で保持可能な長孔状の貫通孔６ｃが開設される。また、空転カバー４の筒部４ｐとシャフト本体１には、上記貫通孔６ｃに正対し、キー部材７が落ち込み可能なＶノッチ状の凹部４ｖ、１ｖが形成される。
【００２５】
図３（ｂ）に示すように、キー部材７は操作先端部材６の筒部６ｐの肉厚よりやや大きな径寸法を有してシャフト本体１の径方向に移動自在であり、一部がシャフト本体側の凹部１ｖに嵌合することにより操作先端部材６とシャフト本体１との回転境界を閉塞する。
【００２６】
空転カバー４側の凹部４ｖは、図５（ａ）に示すように、キー部材７が落ち込んでも、キー部材７がシャフト本体１側凹部１ｖから完全に脱離することなく、操作先端部材６とシャフト本体１との回転境界の閉塞状態を維持することが可能な程度の大きさに形成される。
【００２７】
したがってこの実施の形態において、図１に示す解錠状態においては、図３（ｃ）に示すように、シャフト側マグネット８ａは縦一文字姿勢をなし、空転カバー４も、カバー側マグネット８ｂがシャフト側マグネット８ａに吸引されて縦一文字姿勢となる。さらにこの状態で、図３（ｂ）に示すように、節度停止手段１３のボール１３ｂは、操作先端部材６の嵌合凹部１３ｄに嵌合し、操作先端部材６のシャフト本体１に対する回転姿勢を保持する。
【００２８】
解錠回転位置と施錠回転位置との間の回転ストロークが９０°に設定される錠装置に対応して、サムターン装置は、図４（ａ）、（ｂ）に示すように、解錠状態からサムターンシャフト２を９０°回転した位置が施錠回転位置に対応し、各部材は解錠位置に対して９０°回転した位置を占める。
【００２９】
これら施錠状態、あるいは上述した解錠状態において、キー部材７は空転カバー４とシャフト本体１の凹部４ｖ、１ｖに正対しており、これから空転カバー４だけを回転させると、キー部材７が空転カバー４の凹部内に嵌合した状態であっても、キー部材７は空転カバー４側の凹部の斜面に押されてシャフト本体１の凹部内に完全に没入する。図４（ｃ）に示すように、この状態で空転カバー４と操作先端部材６との間の回転境界は開放されるために、空転カバー４のみが回転し、操作先端部材６、およびシャフト本体１を回転させて錠装置を施解錠操作することはできない。
【００３０】
これに対し、操作先端部材６側を回転させた場合には、図５（ａ）、（ｂ）に示すように、シャフト本体１の凹部１ｖの斜面に押されてキー部材７には遠心方向の力が与えられ、一部が空転カバー４側の凹部４ｖに嵌合する。上述したように、この状態でシャフト本体１と操作先端部材６との回転境界に加えて、操作先端部材６と空転カバー４との回転境界も閉塞される。このため、以後、空転カバー４に加えた回転操作力はシャフト本体１に伝達され、図５において時計回りに回転させると、錠装置は解錠状態に遷移する。
【００３１】
図５（ｃ）、（ｄ）に示すように、錠装置の解錠状態への遷移は空転カバー４が縦一文字位置を超えて完了するが、この状態で空転カバー４への操作力を解除すると、シャフト本体１は縦一文字位置に移動しているために、付勢手段８の作用により空転カバー４も追随して図３に示す解錠状態に移動することができる。
【図面の簡単な説明】
【００３２】
【図１】本発明を示す図で、（ａ）は側面図、（ｂ）は（ａ）の１Ａ方向矢視図、（ｃ）は（ａ）の１Ｃ方向矢視図である。
【図２】サムターン装置の断面図で、（ａ）は図１（ｃ）の２Ａ-２Ａ線断面図、（ｂ）は図１（ｃ）の２Ｂ-２Ｂ線断面図である。
【図３】図２の断面図で、（ａ）は図２（ａ）の３Ａ-３Ａ線断面図、（ｂ）は図２（ａ）の３Ｂ-３Ｂ線断面図、（ｃ）は図２（ａ）の３Ｃ-３Ｃ線断面図である。
【図４】施錠状態における断面図で、（ａ）は図３（ｂ）に対応する図、（ｂ）は図３（ｃ）に対応する図、（ｃ）は空転カバーを回転させた状態を示す図４（ａ）に対応する図、（ｄ）は図４（ｂ）に対応する図である。
【図５】解錠動作を示す断面図で、（ａ）はサムターンシャフトを回転させた状態を示す図４（ａ）に対応する図、（ｂ）は図４（ｂ）に対応する図、（ｃ）は解錠操作が終了した時点での図５（ａ）に対応する図、（ｃ）は図５（ｂ）に対応する図である。
【符号の説明】
【００３３】
１        シャフト本体
２        サムターンシャフト
３        露出窓
４        空転カバー
５        クラッチ手段
６        操作先端部材
７        キー部材
８        付勢手段
９        平面部
【図１】
2007100313.tif 000003
【図２】
2007100313.tif 000004
【図３】
2007100313.tif 000005
【図４】
2007100313.tif 000006
【図５】
2007100313.tif 000007